(57)【要約】【課題】軽量で、支柱への取り付け、取り外しが容易であり、支柱に設置された装置、ケーブル類の保安対策が向上した基地局用ケージ、即ち、カゴラーを提供することである。【解決手段】携帯電話通信システムにて支柱に設置された基地局の装置類を防護するために支柱に設置した装置類を囲包して、支柱に取り付けられるカゴラーは、支柱の装置類を囲包する多数の網目を有する網状体と、網状体を支柱に取り付けるための上支持手段及び下支持手段と、を備え、網状体は、複数の分割した分割網部材にて構成され、上支持手段及び下支持手段は、各々、支柱の外周囲に取り付けられる複数の支持部材にて構成され、各支持部材は、支柱の外周囲に取り付けられる支持基台と、支持基台から外方向へと延在した複数の支持アームと、を有し、支持アームに各分割網部材を取り付ける。【選択図】図１
2011006964.tif 000002
【特許請求の範囲】
【請求項１】
携帯電話通信システムにて支柱に設置された基地局の装置類を防護するために前記支柱に設置した装置類を囲包して、前記支柱に取り付けられるカゴラーであって、
前記支柱の装置類を囲包することにより前記装置類が外部から接触されるのを防護するために線材を組み合わせて形成され、多数の網目を有する網状体と、前記網状体を前記支柱に取り付けるための上支持手段及び下支持手段と、を備え、
前記網状体は、複数の分割した分割網部材にて構成され、
前記上支持手段及び下支持手段は、各々、前記支柱の外周囲に取り付けられる複数の支持部材にて構成され、
前記各支持部材は、前記支柱の外周囲に取り付けられる支持基台と、前記支持基台から外方向へと延在した複数の支持アームと、を有し、
前記支持アームに各前記分割網部材を取り付けることを特徴とするカゴラー。
【請求項２】
前記支持基台は、細長の板状部材を略半円形状に成形した基板と、前記基板から前記支持アームとは反対側へと所定の高さだけ突出して一体に取り付けられた取付板と、を備え、
前記支持アームは、細長の板状部材をその長手方向に折り曲げて細長箱状とし、その中間部に仕切り壁を設けたフレーム枠体とされ、前記支持アームの一端が前記基板に一体に取り付けられ、
前記複数の支持部材の前記基板は、その外周に取付バンド部材を巻き付けることにより前記支柱に固定される、
ことを特徴とする請求項１に記載のカゴラー。
【請求項３】
前記上支持手段の前記支持アームには、その先端に上方に開口した係止部が形成され、前記係止部に前記分割網部材の前記線材が係止され、
前記下支持手段の前記支持アームには、その先端に取付板が設けられ、当て板を利用して前記取付板との間に前記分割網部材の線材を挟み込み、ネジで固定する、
ことを特徴とする請求項１又は２に記載のカゴラー。
【請求項４】
隣り合った前記分割網部材の互いに対向した縦方向縁部を所定の間隔にて、連結部材により連結することを特徴とする請求項１〜３のいずれかの項に記載のカゴラー。
【発明の詳細な説明】
【技術分野】
【０００１】
本発明は、携帯電話通信システムにおいて、例えばコンクリート柱やパンザ柱（鉄柱）等の支柱に設置されたブースタ基地局や光張り出し基地局などの基地局の装置類を防護するための基地局用ケージ（以下、「カゴラー」という。）に関するものである。
【背景技術】
【０００２】
従来、携帯電話通信システムにおいては、大型の基地局と基地局との間にはブースタ基地局や光張り出し基地局などの基地局を設けるために、例えばコンクリート柱やパンザ柱（鉄柱）等の支柱を設置し、この支柱に基地局の装置類を取り付けることが行われている。
【０００３】
現状では、基地局の装置類は、支柱に取り付けたまま、装置本体及びケーブルがむき出しで設置されている。
【０００４】
このように、支柱に装置本体及びケーブルをむき出しで設置した場合には、周辺の住民に、触れたら危険という不安感を与え、また、悪戯によりケーブルが引っ張られたり、或いは、切断される恐れもある。
【０００５】
このため、支柱の下方部を囲んで簡易のフェンスを設けることも行われてはいる。
【０００６】
なお、本特許出願人は、出願時点において、上記従来の問題を解決するための本発明に関連した装置等を開示する先行技術文献を見つけることができなかった。従って、先行技術文献情報を開示していない。
【発明の概要】
【発明が解決しようとする課題】
【０００７】
しかしながら、このような防護フェンスを設置するだけでは、保安対策が十分とは言えない。また、フェンス設置工事は、日数も掛かり、コスト高となる。更には、フェンス設置は、周辺住民に配慮した景観とは言い難い。
【０００８】
そこで、本発明の主たる目的は、軽量で、例えばコンクリート柱やパンザ柱（鉄柱）等の支柱への取り付け、取り外しが容易であり、支柱に設置された装置、ケーブル類の保安対策が向上したブースタ基地局や光張り出し基地局などの基地局用ケージ、即ち、カゴラーを提供することである。
【０００９】
本発明の他の目的は、従来のフェンスより安価で安全防護対策が可能であり、また、景観、周囲環境に配慮し、周辺住民の安心感を与えることのできるカゴラーを提供することである。
【課題を解決するための手段】
【００１０】
上記目的は本発明に係るカゴラーにて達成される。要約すれば、本発明は、携帯電話通信システムにて支柱に設置された基地局の装置類を防護するために前記支柱に設置した装置類を囲包して、前記支柱に取り付けられるカゴラーであって、
前記支柱の装置類を囲包することにより前記装置類が外部から接触されるのを防護するために線材を組み合わせて形成され、多数の網目を有する網状体と、前記網状体を前記支柱に取り付けるための上支持手段及び下支持手段と、を備え、
前記網状体は、複数の分割した分割網部材にて構成され、
前記上支持手段及び下支持手段は、各々、前記支柱の外周囲に取り付けられる複数の支持部材にて構成され、
前記各支持部材は、前記支柱の外周囲に取り付けられる支持基台と、前記支持基台から外方向へと延在した複数の支持アームと、を有し、
前記支持アームに各前記分割網部材を取り付けることを特徴とするカゴラーである。
【００１１】
本発明の一実施態様によると、前記支持基台は、細長の板状部材を略半円形状に成形した基板と、前記基板から前記支持アームとは反対側へと所定の高さだけ突出して一体に取り付けられた取付板と、を備え、
前記支持アームは、細長の板状部材をその長手方向に折り曲げて細長箱状とし、その中間部に仕切り壁を設けたフレーム枠体とされ、前記支持アームの一端が前記基板に一体に取り付けられ、
前記複数の支持部材の前記基板は、その外周に取付バンド部材を巻き付けることにより前記支柱に固定することができる。
【００１２】
本発明の他の実施態様によると、前記上支持手段の前記支持アームには、その先端に上方に開口した係止部が形成され、前記係止部に前記分割網部材の前記線材が係止され、
前記下支持手段の前記支持アームには、その先端に取付板が設けられ、当て板を利用して前記取付板との間に前記分割網部材の線材を挟み込み、ネジで固定する。
【００１３】
本発明の他の実施態様によると、隣り合った前記分割網部材の互いに対向した縦方向縁部を所定の間隔にて、連結部材により連結する。
【発明の効果】
【００１４】
本発明のカゴラーは、軽量で、例えばコンクリート柱やパンザ柱（鉄柱）等の支柱への取り付け、取り外しが容易であり、カゴラーを支柱に取り付けることにより、支柱に設置された装置、ケーブル類の保安対策大きく向上する。また、従来のフェンスより安価で安全防護対策が可能であり、また、景観、周囲環境に配慮し、周辺住民の安心感を与えることができる。
【図面の簡単な説明】
【００１５】
【図１】本発明に係る基地局用ケージであるカゴラーの一実施例を示す概略構成斜視図である。
【図２】本発明に係る基地局用ケージであるカゴラーの一実施例を示す概略構成斜視図であり、コンクリート柱に設置された基地局の装置類を囲包してコンクリート柱に取り付けられている状態を示す。
【図３】図３（ａ）は、二つの分割網部材にて構成された網状体を示し、図３（ｂ）は、三つの分割網部材にて構成された網状体を示す斜視図である。
【図４】四つの分割網部材にて構成された網状体を示す斜視図である。
【図５】上支持手段及び下支持手段を説明するための斜視図である。
【図６】網状体を上支持手段に取り付ける態様を説明するための図で、図６（ａ）は平面図であり、図６（ｂ）は部分斜視図である。
【図７】網状体を下支持手段に取り付ける態様を説明するための図で、図７（ａ）は平面図であり、図７（ｂ）は部分斜視図である。
【図８】連結部材の一実施例を示す斜視図である。
【発明を実施するための形態】
【００１６】
以下、本発明に係るカゴラーを図面に則して更に詳しく説明する。
【００１７】
実施例１
図１及び図２に、本発明に係る、例えばコンクリート柱やパンザ柱（鉄柱）等の支柱１００などに設置されたブースタ基地局や光張り出し基地局などの基地局の装置類２００を防護するための基地局用ケージ、即ち、カゴラー１の一実施例を示す。図１は、カゴラー１を支柱１００に、本実施例では、コンクリート柱１００に取り付けた状態を示し、図２は、カゴラー１がコンクリート柱１００に設置された基地局の装置類２００を囲包してコンクリート柱１００に取り付けられ、装置類２００を防護している状態を示す。
【００１８】
図１を参照すると、本実施例にてカゴラー１は、装置類２００を囲包して、装置類２００が外部から接触されるのを防護するための網状体２と、この網状体２をコンクリート柱１００に取り付けるための上及び下支持手段３、４とを備えている。
【００１９】
（網状体）
網状体２は、その全体的形状寸法は、特定の形状、寸法に限定されるものではないが、通常、断面が円形の円筒形状とされ、直径Ｄ＝１２７０〜１５００ｍｍ、高さＨ＝２０００〜３２００ｍｍとされる。本実施例では、直径Ｄ＝１２７０ｍｍ、高さＨ＝１８００ｍｍとした。勿論、所望により、断面を矩形状（四角形状）とした角筒形状とすることもでき、更には、その他、断面が五角形、六角形等とされる多角形状筒体とすることも可能である。
【００２０】
また、網状体２は、好ましくは保形性（自立性）を有し、金属、樹脂などで作製された直径ｄ＝３〜４ｍｍの線材２０（２０ａ、２０ｂ）を、例えば縦横に組み合わせて網状としたものである。線材２０の縦線材２０ａ及び横線材２０ｂは、異なる大きさ（直径）、材質のものを使用することができる。つまり、図１に示すカゴラー１では、縦方向の縦線材２０ａと、横方向の最上部及び最下部の横線材２０ｂは、同じ直径のものとされ、その他の横線材２０ｂは、縦線材２０ａより細い線材とされている。
【００２１】
ただ、本実施例では、図２に示すように、縦線材２０ａ及び横線材２０ｂ共に直径３．２ｍｍのステンレス製線材とし、これら線材２０ａ、２０ｂを縦方向及び横方向に所定の間隔Ｐ１、Ｐ２にて網状に組み立てた金網とした。間隔Ｐ１、Ｐ２は、それぞれ、Ｐ１＝５０〜１００ｍｍ、Ｐ２＝１００〜２００ｍｍとされる。本実施例では、Ｐ１＝５０ｍｍ、Ｐ２＝１００ｍｍとした。
【００２２】
網状体２は、複数の分割した分割網部材にて構成され、この複数の分割網部材を組み合わせることにより、上述したような円形、矩形、多角形状の筒体とされる。本実施例では、網状体２は、図１、図３（ａ）に示すように、概略半円形状の二つの分割網部材２Ａ、２Ｂにて構成され、組み合わせることによって直径Ｄとなる円筒体を形成するものとした。勿論、網状体２は、これに限定されるものではなく、図３（ｂ）に示すように、三つの分割網部材２Ａ、２Ｂ、２Ｃとすることもでき、或いは、図示してはいないが、それ以上の分割網部材にて構成することもできる。
【００２３】
更には、網状体２の軸線方向（即ち、縦方向）の長さ（高さＨ）が長くなるような場合には、各分割網状部材２Ａ、２Ｂを、更に縦方向に分割して連結具にて連結してもよい。例えば、図４に示すように、縦方向に２分割された分割網状部材２Ａ１、２Ａ２、及び、２Ｂ１、２Ｂ２を、それぞれ、対向した両端縁部を連結具１０にて連結して、図３（ａ）に示すような分割網状部材２Ａ、２Ｂを作製することもできる。即ち、図４に示す網状体２は、４つの分割網状部材２Ａ１、２Ａ２、及び、２Ｂ１、２Ｂ２にて構成される。本発明の網状体２は、必要に応じて、更に多数の分割網状部材にて構成することも可能である。連結具１０としては、例えば、両端にフックを備えた細長金属板、針金部材、或いは、詳しくは後述するが、図８に示すような連結部材６０であってもよい。
【００２４】
（上支持手段）
図５及び図６を参照すると、上支持手段３は、コンクリート柱１００の外周囲に取り付けられる複数の支持部材３１にて構成される。本実施例では、二つの支持部材３１、３１がコンクリート柱１００の回りに円形状配置にて取り付けられる。勿論、支持部材３１は、三つ以上とすることもできる。
【００２５】
各支持部材３１は、コンクリート柱１００の外周囲に取り付けられる支持基台３２と、この支持基台３２から外方向へと延在した複数の支持アーム３３とを有する。本実施例では、二つの支持基台３２がコンクリート柱の回りに円形状に取り付けられるように、各支持基台３２は、略半円形状に成形される。本実施例では、各支持基台３２には、３個の支持アーム３３が一体に、例えば溶接などにより固定される。支持アーム３３の数は、カゴラー１の大きさなどに依って、任意に決定することができる。
【００２６】
上記各支持基台３２は、厚さｔ１、幅ｗ１、とされる細長の板状部材（金属板）を半円形状に成形した基板３２ａと、この基板３２ａから支持アーム３３とは反対側へと高さｈ１だけ突出して一体に取り付けられた取付板３２ｂとにて構成されている。基台３２に取り付けられる取付板３２ｂは、通常、基板３２ａの内周に均等に３〜５個、本実施例では、基板３２ａの両端部と、その内方に均等に２個、合計４個取り付けられている。
【００２７】
本実施例では、基板３２ａは、厚さｔ１＝４．５ｍｍ、幅ｗ１＝５０ｍｍのドブメッキ鋼板を、半径Ｒ＝２１０ｍｍにて成形したものであった。取付板３２ｂの高さｈ１＝６０ｍｍとした。勿論、これらの寸法形状に限定されるものではない。
【００２８】
各支持アーム３３は、厚さｔ２、幅ｗ２、とされる細長の板状部材（金属板）３４をその長手方向に折り曲げて細長箱状とし、その中間部に補強用の仕切り壁３５を設けたフレーム枠体とされる。支持アーム３３の一端３３ａは、即ち、基板３２ａの外周に取り付ける側は、例えば、溶接などにより基板３２ａに一体に取り付けられる。支持アーム３３の他端３３ｂは、上方にＵ字状に開口した係止部３６が形成される。この係止部３６には、図６を参照して後述するように、網状体２の一部、即ち、本実施例では、網状体２の最上部の横線材２０ｂが係止される。
【００２９】
本実施例では、基板支持アーム３３は、厚さｔ２＝４．５ｍｍ、幅ｗ２＝２５ｍｍのドブメッキ鋼板を箱状に成形したものであった。支持アーム３３の高さｈ２＝５０ｍｍ、長さＬ２＝４３５ｍｍとした。勿論、これらの寸法形状に限定されるものではない。
【００３０】
（下支持手段）
図５及び図７を参照すると理解されるように、下支持手段４は、上述の上支持手段３と同様の構成とされる。ただ、下支持手段４の支持アーム４３の外端部４３ｂの構成が、上支持手段３の支持アーム３３の外端部３３ｂの構成と異なるのみである。
【００３１】
つまり、下支持手段４は、コンクリート柱１００の外周囲に取り付けられる複数の支持部材４１にて構成される。本実施例では、二つの支持部材４１、４１がコンクリート柱１００の回りに円形状配置にて取り付けられる。勿論、支持部材４１は、三つ以上とすることもできる。
【００３２】
各支持部材４１は、コンクリート柱１００の外周囲に取り付けられる支持基台４２と、この支持基台４２から外方向へと延在した複数の支持アーム４３とを有する。本実施例では、二つの支持基台４２がコンクリート柱１００の回りに円形状に取り付けられるように、各支持基台４２は、略半円形状に成形される。本実施例では、各支持基台４２には、３個の支持アーム４３が一体に、例えば溶接などにより固定される。支持アーム４３の数は、カゴラー１の大きさなどに依って、任意に決定することができる。
【００３３】
各支持基台４２は、支持基台３２と同様に、厚さｔ１、幅ｗ１、とされる細長の金属板を半円形状に成形した基板４２ａと、この基板４２ａから支持アーム４３とは反対側へと高さｈ１だけ突出して基板４２ａに一体に取り付けられた取付板４２ｂとにて構成されている。基板４２ａに取り付けられる取付板４２ｂは、通常、基板４２ａの内周に均等に３〜５個、本実施例では、基板４２ａの両端部と、その内方に均等に２個、合計４個取り付けられている。
【００３４】
各支持アーム４３は、支持アーム３３と同様に、厚さｔ２、幅ｗ２、とされる細長の金属板４４をその長手方向に折り曲げて細長箱状とし、その中間部に補強用の仕切り壁４５を設けたフレーム枠体とされる。支持アーム４３の一端４３ａは、即ち、基板４２ａの外周に取り付ける側は、例えば、溶接などにより基板４２ａに一体に取り付けられる。
【００３５】
上述のように、上記構成とされる下支持手段４の構成は、上記上支持手段３の構成と同様である。ただ、支持アーム４３の他端４３ｂの形状が異なる。
【００３６】
即ち、下支持手段４の支持アーム４３の他端４３ｂには、網取り付けのための横長形状とされる矩形の支持板４６が一体に取り付けられており、その中心部にネジ穴４６ａが形成されている。このネジ穴４６ａには、後述するように、網状体２を取り付ける際に、支持板４６と当て板４７とを使用して網状体２の一部を挟み込み、蝶ネジ４８を螺入して固定するためのものである。当て板４７には、蝶ネジ４８のための貫通孔４７ａが形成されている。
【００３７】
（コンクリート柱への取付け）
次に、図１、及び、図５〜図７を参照して、本実施例のカゴラー１の取付態様について説明する。図１では、コンクリート柱１００に装置類２００は取り付けられていないが、実際には、コンクリート柱１００には装置類２００が取り付けられている。
【００３８】
先ず、コンクリート柱１００に取り付けられた装置類２００（図１には図示せず）を網状体２にて囲包し得るような適当なコンクリート柱１００の高さ位置に、上支持手段３及び下支持手段４を取り付ける。上支持手段３及び下支持手段４のコンクリート柱１００への取付態様は同じであるので、上支持手段３について説明する。
【００３９】
最初に、二つの支持部材３１、３１を、各支持部材３１の支持基台３２が、即ち、支持基台３２の基板３２ａに取り付けられた取付板３２ｂがコンクリート柱１００の外周に当接するようにして配置する。このとき、各支持部材３１の基板３２ａは、図６に示すように、互いに対向する両端部が距離Ｇ（通常２０ｍｍ程度）だけ僅かに離間しており、コンクリート柱１００の外形寸法に合わせて基板３２ａの半径Ｒを変形させることが可能である。
【００４０】
次いで、基板３２ａの外周を取り巻いて、取付バンド部材、例えば、自在バンド（イワブチ株式会社製「ＩＢＴ−３１５」商品名）５０を巻き付け、基板３２ａ、即ち、支持部材３１をコンクリート柱１００にしっかりと固定する。これにより、上支持手段３がコンクリート柱１００に固定される。
【００４１】
次に、上支持手段３から下方の所定位置に、上述した上支持手段３の取付と同様にして、下支持手段４をコンクリート柱１００に取り付ける。
【００４２】
次いで、上記上支持手段３及び下支持手段４を利用して、網状体２を取り付ける。
【００４３】
つまり、網状体２を構成する分割網部材２Ａ、２Ｂの上部を、本実施例では、図１及び図６に示すように、各分割網部材２Ａの最上部の横線材２０ｂを上支持手段３の各支持アーム３３の先端係止部３６に、上方Ｕ字状開口を介して挿入し、係止する。これにより、網状体２が上支持手段３に取り付けられる。
【００４４】
上支持手段３に取り付けられた網状体２は、その下端部を、当て板４７を利用して蝶ネジ４８にて下支持手段４に固定する。
【００４５】
つまり、図１及び図７に示すように、各分割網部材２Ａ、２Ｂの下方部の網目部に位置している、下支持手段４の支持アーム４３の支持板４６と当て板４７とにより、分割網部材２Ａ，２Ｂの縦線材２０ａを挟み込み、当て板４７を支持板４６に蝶ネジ４８にて固定する。
【００４６】
最後に、隣り合った分割網部材２Ａ、２Ｂの互いに対向した縦方向縁部を、図２及び図８（ａ）に示すように、縦方向に所定の間隔にて、例えば、５０〜１００ｍｍの間隔にて、連結部材６０により連結する。
【００４７】
連結部材６０は、本実施例では、図１、図８（ａ）に示すように、取付長穴６１ａ、６２ａが形成された金属製の取付板６１と当て板６２を利用して、互いに隣接した分割網部材２Ａ、２Ｂの互いに対向した縦方向縁部に隣接した縦線材２０ａを挟み込み、ボルトナット６３、６４にて固定する。
【００４８】
また、別法として、連結部材６０は、図８（ｂ）に示すように、ゴムバンド６５の両端にフック６６が設けられた構成とされ、連結部材６０のフック６６を、互いに隣接した分割網部材２Ａ、２Ｂの互いに対向した縦方向縁部に隣接した縦線材２０ａに掛け止めすることにより、隣り合った分割網部材２Ａ、２Ｂを互いに連結してもよい。連結部材６０は、図７（ｃ）に示すように、両端にフック６６を備えたスプリング６０とすることもできる。
【００４９】
上記方法により、本実施例のカゴラー１がコンクリート柱１００に固定される。
【００５０】
必要により、カゴラー１をコンクリート柱１００より取り外す場合には、上記手順の逆を行うことにより、容易に取り外すことができる。
【００５１】
本実施例の上記構成のカゴラー１は、極めて軽量であり、取り付け、取り外しが容易である。また、コンクリート柱１００に設置された装置、ケーブル類２００を金網のような網状体２にてその外周を囲包することができるので、保安対策が著しく向上する。
【００５２】
また、従来のフェンスより安価で安全防護対策が可能であり、また、景観、周囲環境に配慮し、周辺住民の安心感を与えることができる。
【符号の説明】
【００５３】
１                          カゴラー（基地局用ケージ）
２                          網状体
２Ａ、２Ｂ、２Ｃ            分割網部材
３                          上支持手段
４                          下支持手段
１０                        連結具
２０（２０ａ、２０ｂ）      線材
３１、４１                  支持部材
３２、４２                  支持基台
３２ａ、４２ａ              基板
３２ｂ、４２ｂ              取付板
３３、４３                  支持アーム
３６                        係止部
４６                        支持板
４７                        当て板
６０                        連結部材
１００                      コンクリート柱、パンザ柱（支柱）
２００                      基地局の装置類
【図１】
2011006964.tif 000003
【図２】
2011006964.tif 000004
【図３】
2011006964.tif 000005
【図４】
2011006964.tif 000006
【図５】
2011006964.tif 000007
【図６】
2011006964.tif 000008
【図７】
2011006964.tif 000009
【図８】
2011006964.tif 000010